(57)【特許請求の範囲】
【請求項１】
管状部材の挿入が可能な筒状をなす継手本体と、
前記管状部材が貫通可能な筒状をなし、操作面を前記継手本体の外部に露出させた状態で、前記継手本体に対して軸線方向への相対変位を可能に取り付けられた操作部材と、
前記継手本体内に収容され、挿入された前記管状部材の外周に対し弾性的に当接することで、前記管状部材を抜止めする保持片と、
前記継手本体内に形成したシール溝に収容され、前記継手本体の内周と前記管状部材の外周とに液密状に密着するシール部材とを備え、
前記操作面を押して前記操作部材を軸線方向へ変位させると、前記保持片が径方向外側へ変位して前記解除部材から解離することで、前記管状部材に対する抜止めが解除されるようになっており、
前記継手本体が、前記シール部材の収容位置の近傍において軸線方向に分離可能であり、且つ合体可能な第１部品と第２部品とを備えて構成されている管継手であって、
第１部品の前端部内周に形成され、前記第１部品の前端面に開放された形態であって前記操作部材の一部を収容する収容空間と、
前記第１部品の内周に形成され、前記第１部品の後端面に開放された形態の連結空間と、
前記第１部品の内周に形成され、前記収容空間と前記連結空間とを仕切るように径方向内側へ壁状に突出した形態の壁状部と、
前記第２部品の内周に形成され、前記第２部品の前端面に開放された形態であって、前記シール部材を収容可能な段差状凹部とを備え、
前記第１部品と前記第２部品は、前記連結空間内に前記第２部品の前端側部分を収容するように組み付けられて合体されていて、
前記第１部品と前記第２部品が合体した状態では、前記壁状部が前記段差状凹部の前面の開口を塞ぐことにより、前記継手本体の内周に前記シール溝が構成されていることを特徴とする管継手。
【請求項２】
前記第１部品と前記第２部品を合体した状態では、前記操作面が、前記第１部品における前記第２部品とは反対側である前端部から露出しており、
前記第２部品の内周には、前記シール部材を液密状に密着させるためのシール面が形成されていることを特徴とする請求項１記載の管継手。
【請求項３】
前記継手本体の軸線方向における前記シール溝の寸法が前記シール部材よりも小さいことを特徴とする請求項１又は請求項２記載の管継手。
【請求項４】
前記操作面は、前記継手本体の軸線に対して傾斜したテーパ状をなしていることを特徴とする請求項１ないし請求項３のいずれか１項に記載の管継手。
【発明の詳細な説明】
【技術分野】
【０００１】
本発明は、管継手に関するものである。
【背景技術】
【０００２】
化粧品や医薬品等のように品目の種類が多い製品を製造する場合、複数品目の製品を１つの製造設備を用いて製造することが行われる。この種の製造設備では、１つの品目の製造が終わると、必ず、製造設備において流体を流す経路を洗浄する。洗浄の際には、流路内に残っている液剤、薬液、雑菌を完全に排出するとともに、流路内の滅菌処理も行われる。洗浄の対象は、１つの装置の内部流路だけでなく、複数の装置間を繋ぐチューブや配管等の外部流路も含まれる。そして、外部流路（チューブや配管等）の洗浄を行うときには、外部流路と、外部流路を接続するための管継手を外し、それらの内部を洗浄する。このような用途に用いられる管継手では、チューブの着脱のし易さが求められるが、これに好適な管継手として、特許文献１に記載されているものがある。
【０００３】
この管継手は、継手本体に操作部材を収容するとともに、継手本体の内周に、操作部材に形成した保持片の外周が係合されるテーパ状の締付け部を設けた構造になる。チューブを操作部材に奥深く挿入してから引き戻すと、チューブとの摩擦により操作部材が移動し、それに伴って、保持片が締付け部の傾斜により縮径してチューブを締め付けるので、チューブが抜止め状態となる。また、この状態からチューブを外す際には、操作部材を押し込み操作する。すると、保持片が締付け部による縮径状態から解放され、この保持片によるチューブの保持も解除されるので、あとはチューブを引き抜けばよい。
【先行技術文献】
【特許文献】
【０００４】
【特許文献１】特開平６−１９３７８７号公報
【発明の概要】
【発明が解決しようとする課題】
【０００５】
この管継手の内部を洗浄する際には、管継手の内部に洗浄液を流し、その洗浄液の流れの勢いによって管継手内の液剤を洗い流すのであるが、管継手の内部に収容されているＯリングは、継手本体の内周の段差状に凹んだ溝状部分に位置している。そのため、Ｏリングの表面のうち洗浄液の流路に面している部分は、洗浄されるが、Ｏリングの表面のうち継手本体の内壁面側に面している部分や狭い隙間に面している部分は、洗浄液が回り込み難いために完全に洗浄されない。また、継手本体の内壁面のうち狭い部分も完全に洗浄することが難しい。
【０００６】
本発明は上記のような事情に基づいて完成されたものであって、洗浄のし易い管継手を提供することを目的とする。
【課題を解決するための手段】
【０００７】
上記の目的を達成するための手段として、請求項１の発明は、管状部材の挿入が可能な筒状をなす継手本体と、前記管状部材が貫通可能な筒状をなし、操作面を前記継手本体の外部に露出させた状態で、前記継手本体に対して軸線方向への相対変位を可能に取り付けられた操作部材と、前記継手本体内に収容され、挿入された前記管状部材の外周に対し弾性的に当接することで、前記管状部材を抜止めする保持片と、前記継手本体内に形成したシール溝に収容され、前記継手本体の内周と前記管状部材の外周とに液密状に密着するシール部材とを備え、前記操作面を押して前記操作部材を軸線方向へ変位させると、前記保持片が径方向外側へ変位して前記解除部材から解離することで、前記管状部材に対する抜止めが解除されるようになっており、前記継手本体が、前記シール部材の収容位置の近傍において軸線方向に分離可能であり、且つ合体可能な第１部品と第２部品とを備えて構成されている管継手であって、第１部品の前端部内周に形成され、前記第１部品の前端面に開放された形態であって前記操作部材の一部を収容する収容空間と、前記第１部品の内周に形成され、前記第１部品の後端面に開放された形態の連結空間と、前記第１部品の内周に形成され、前記収容空間と前記連結空間とを仕切るように径方向内側へ壁状に突出した形態の壁状部と、前記第２部品の内周に形成され、前記第２部品の前端面に開放された形態であって、前記シール部材を収容可能な段差状凹部とを備え、前記第１部品と前記第２部品は、前記連結空間内に前記第２部品の前端側部分を収容するように組み付けられて合体されていて、前記第１部品と前記第２部品が合体した状態では、前記壁状部が前記段差状凹部の前面の開口を塞ぐことにより、前記継手本体の内周に前記シール溝が構成されているところに特徴を有する。
【０００８】
請求項２の発明は、請求項１に記載のものにおいて、前記第１部品と前記第２部品を合体した状態では、前記操作面が、前記第１部品における前記第２部品とは反対側である前端部から露出しており、前記第２部品の内周には、前記シール部材を液密状に密着させるためのシール面が形成されているところに特徴を有する。
【０００９】
請求項３の発明は、請求項１または請求項２に記載のものにおいて、前記継手本体の軸線方向における前記シール溝の寸法が前記シール部材よりも小さいところに特徴を有する。
【００１０】
請求項４の発明は、請求項１ないし請求項３のいずれかに記載のものにおいて、前記操作面は、前記継手本体の軸線に対して傾斜したテーパ状をなしているところに特徴を有する。
【発明の効果】
【００１１】
＜請求項１の発明＞
本発明の管継手の内部を洗浄する際には、第１部品と第２部品を分離し、各部品を別々に洗浄すればよい。２つの部品を分離した状態では、一方の部品の端面の近傍にシール部材が位置するので、シール部材を外して洗浄することが可能である。
【００１２】
＜請求項２の発明＞
シール部材を密着させるシール面を、操作面が露出している第１部品にではなく、第２部品の内周に形成している。これにより、第１部品と第２部品の隙間を通ってシール部材まで到達したとしても、その水は、シール面よりも第２部品の内部側へ流れることはなく、第１部品の内周と管状部材の外周との隙間を通り、第１部品の操作面側の端部から継手本体の外部へ流出する。したがって、継手本体の外部の水が、管状部材の流路内に浸入する虞はない。
【００１３】
＜請求項３の発明＞
第１部品と第２部品を合体した状態では、シール溝内に収容されたシール部材が、シール溝の内面の間で継手本体の軸線方向に挟まれて弾性変形する。これにより、継手本体の外部の水が、第１部品と第２部品の隙間を通ってシール部材に到達したとしても、その水が、シール部材よりも内周側へ浸入する虞はない。
【００１４】
＜請求項４の発明＞
操作面はテーパ状をなしているので、操作面の最大外径が小さくても、操作面の面積を大きく確保することができる。これにより、小型化と作業性の向上を両立させることができる。
【図面の簡単な説明】
【００１５】
【図１】実施形態１において第１部品と第２部品を分離した状態をあらわす断面図
【図２】第１部品と第２部品を合体した状態をあらわす断面図
【図３】管継手にチューブを接続した状態をあらわす断面図
【図４】接続したチューブの抜止めを解除した状態をあらわす断面図
【図５】実施形態２において第１部品と第２部品を分離した状態をあらわす断面図
【図６】第１部品と第２部品を合体した状態をあらわす断面図
【発明を実施するための形態】
【００１６】
＜実施形態１＞
以下、本発明を具体化した実施形態１を図１乃至図４を参照して説明する。本実施形態の管継手Ａは、化粧品や医薬品等のように品目の種類が多い製品を製造するための製造設備（図示省略）において、装置間を繋ぐチューブＢ（本発明の構成要件である管状部材）を接続する手段として用いられる。製造設備では、複数品目の製品の製造が行われ、１つの品目の製造が終わると、必ず、製造設備において流体を流す経路を洗浄する。洗浄の際には、チューブＢと、管継手Ａを外して、それらの内部を洗浄する。
【００１７】
管継手Ａは、継手本体１０と保持片２４と操作部材２７とＯリング３５（本発明の構成要件であるシール部材）とを備えて構成されている。この管継手Ａは、機器（図示省略）内の流路に、円筒形をなす合成樹脂製のチューブＢを接続するためのものである。継手本体１０には、その前方（図１〜図４における左方）からチューブＢの後端部が挿入されて接続されるようになっている。また、継手本体１０の後端部は機器（図示省略）の流路に接続されるようになっている。
【００１８】
継手本体１０は、金属（ステンレス、真鍮など）製であって、全体として軸線を前後方向に向けた円筒状をなしている。継手本体１０の後端部外周には、管継手Ａを機器に接続するための雄ネジからなる機器接続部１３が形成されている。継手本体１０の外周のうち前端部に近い位置には、平面状に面取りした第１治具係合部１４が形成され、継手本体１０の外周のうち機器接続部１３の前方に隣接する位置には、平面状に面取りした第２治具係合部１５が形成されている。
【００１９】
管継手Ａの内部を洗浄する際には、管継手Ａの内部に洗浄液を流し、その洗浄液の流れの勢いによって管継手Ａ内の液剤を洗い流すのであるが、管継手Ａの内部に収容されているＯリング３５は、継手本体１０の内周の段差状に凹んだ溝状部分に位置している。そのため、Ｏリング３５の表面のうち洗浄液の流路に面している部分は、洗浄されるが、Ｏリング３５の表面のうち継手本体１０の内壁面側に面している部分や狭い隙間に面している部分は、洗浄液が回り込み難いために完全に洗浄されない。また、継手本体１０の内壁面のうち狭い部分も完全に洗浄することが難しい。
【００２０】
そのため、本実施形態では、継手本体１０を、筒状の第１部品１１と、筒状の第２部品１２とを分離可能に組み付けることによって構成している。また、継手本体１０には、筒状のストッパ２０と、筒状の抜止めリング２１とが組み付けられている。第１部品１１の外周には、上記第１治具係合部１４が形成されている。第２部品１２の外周には、上記機器接続部１３と第２治具係合部１５が形成されている。
【００２１】
第１部品１１の内周には、その前端部を同心円状に切欠するとともに、第１部品１１の前端面に開放された形態の収容空間１６が形成されている。第１部品１１の内周には、収容空間１６よりも後方の領域を同心円状に切欠するとともに、第１部品１１の後端面に開放された連結空間１７が形成され、この連結空間１７の内周には、雌ネジからなる第１連結部１８が形成されている。また、収容空間１６と連結空間１７との間には、第１部品１１の内周から径方向内側へ同心円状に壁状に突出した形態の壁状部１９が形成されている。
【００２２】
ストッパ２０は、収容空間１６の後端部に収容され、壁状部１９の前面に当接した状態で第１部品１１に取り付けられている。抜止めリング２１は、収容空間１６内におけるストッパ２０よりも前方の領域に収容され、第１部品１１の前端部の抜止部２２とストッパ２との間で前後に挟まれることで、第１部品１１に対して前後方向（継手本体１０の軸線方向）における相対変位を規制された状態に保持されている。この抜止めリング２１の内周には、段差状受け部２３が形成されている。
【００２３】
このストッパ２０と抜止めリング２１が組み付けられた第１部品１１には、保持片２４も組み付けられている。保持片２４は、円環形をなす本体部２５と、本体部２５から、周方向に一定間隔を空けた複数の食い込み片２６を突出させた周知の形態のものである。各食い込み片２６は、径方向内側であって、軸線方向においては斜め後方へ片持ち状に突出しており、径方向外方へ弾性変形し得るようになっている。この保持片２４は、本体部２５がストッパ２０と抜止めリング２１との間に挟み込まれた状態で、第１部品１１に組み付けられている。
【００２４】
操作部材２７は、円筒形をなす。操作部材２７の内径は全長に亘ってチューブＢの外径と同じかそれよりも僅かに大きい一定の寸法となっている。操作部材２７の外周のうち前端部を除いた領域は小径部２８となっており、小径部２８の外周には、段差状係止部２９が形成されている。操作部材２７の外周の前端部は、小径部２８よりも外径の大きい大径部３０となっており、大径部３０の前端面は、継手本体１０の軸線に対して直角な平面からなる操作面３１となっている。
【００２５】
かかる操作部材２７は、その小径部２８を抜止めリング２１内に収容するとともに、大径部３０（操作面３１）を第１部品１１の前方へ露出させた状態で、第１部品１１に取り付けられている。取り付けられた操作部材２７は、常には、小径部２８の後端を保持片２４の食い込み片２６に対して前方から当接させるとともに、段差状係止部２９を段差状受け部２３に係止させることで、前後方向への大きく変位を規制された状態（つまり、第１部品１１からの離脱を規制された状態）に保持されている。また、操作面３１を押し操作して操作部材２７を後方へ変位させると、操作部材２７の後端が、食い込み片２６を後方へ押して径方向外方へ弾性的に変位させるようになっている。
【００２６】
第２部品１２の前端部外周には、雄ねじからなる第２連結部３２が形成されている。第２部品１２の内周の前端部には、同心円状に切欠した形態であって、第２部品１２の前端面に開放された段差状凹部３３が形成されている。この段差状凹部３３の内周面はシール面３４となっている。段差状凹部３３内には、例えばフッ素ゴム等の弾性を有する材料からなるＯリング３５が収容されている。段差状凹部３３の前後方向の寸法は、後述するＯリング３５の前後方向の寸法よりも少し小さい寸法である。第２部品１２の内周のうち段差状凹部３３の後方に隣接する領域は、操作部材２７の内周の同じ径寸法の保持面３７となっている。保持面３７の後端部には、段差状に縮径した前止まり部３８が形成されている。
【００２７】
第１部品１１と第２部品１２を組み付ける際には、Ｏリング３５を第２部品１２の段差状凹部３３内に収容し、第１治具係合部１４と第２治具係合部１５に、夫々、治具（図示省略）を係合し、第１連結部１８と第２連結部３２を係合させて両部品１１，１２を回転させる。そして、第２部品１２の前端面が壁状部１９の後面に当接するとともに、第１部品１１の後端面が第２治具係合部１５の前面に当接した状態になれば、両部品１１，１２が同軸状に組み付けられ、継手本体１０が構成されるととも、管継手Ａの組み付けが完了する。
【００２８】
上記のようにして両部品１１，１２を合体させると、壁状部１９が段差状凹部３３の前面の開口を塞ぐことにより、継手本体１０の内周にシール溝３６が構成されるとともに、シール溝３６内にＯリング３５が収容された状態となる。また、壁状部１９の後面がＯリング３５に対して前方から当接して押圧し、これにより、シール溝３６内に収容されたＯリング３５は、シール溝３６の内面の間で継手本体１０の軸線方向（前後方向）に挟まれて弾性変形し、Ｏリング３５は、シール溝３６の前側の内面と後側の内面に対して液密状に密着する。
【００２９】
したがって、継手本体１０の外部の水が、第１部品１１と第２部品１２との隙間（第１連結部１８と第２連結部３２との隙間、及び壁状部１９の後面と第２部品１２の前端面との隙間）を通ってシール溝３６（Ｏリング３５）に到達したとしても、その水は、壁状部１９の後面とＯリング３５との隙間を通ってＯリング３５よりも内周側へ浸入する、ということがない。
【００３０】
チューブＢを管継手Ａに接続する際には、チューブＢの後端部を前方から操作部材２７内に挿入し、チューブＢが前止まり部３８に突き当たるまで、継手本体１０内に挿入する。挿入の過程では、チューブＢの外周が食い込み片２６を径方向外側へ弾性的に押し広げ、チューブＢの挿入が完了した状態では、食い込み片２６が、その弾性復元力によりチューブＢの外周に食い込み、チューブＢが抜止め状態に保持される。また、Ｏリング３５が、チューブＢの外周とシール面３４に対して液密状に密着するので、継手本体１０の前方から水がチューブＢの外周を伝ってＯリング３５（シール溝３６）に到達したとしても、その水は、Ｏリング３５においてそれ以上の後方（第２部品１２の内部）浸入を阻止される。これにより、第２部品１２内の流路及び機器の流路への浸水が防止される。
【００３１】
また、第１部品１１と第２部品１２を合体した状態では、操作面３１が、第１部品１１における第２部品１２とは反対側である前端部から露出している。そこで、本実施形態では、Ｏリング３５を密着させるためのシール面３４を、操作面３１が露出している第１部品１１にではなく、第２部品１２の内周に形成している。これにより、第１部品１１と第２部品１２の隙間を通ってＯリング３５に到達したとしても、その水は、シール面３４よりも第２部品１２の内部側へ流れることはない。そして、Ｏリング３５に到達した水は、第１部品１１の内周とチューブＢの外周との隙間を通り、第１部品１１の操作面３１側の端部から継手本体１０の外部へ流出する。したがって、継手本体１０の外部の水が、チューブＢの外周と第２部品１２の内周との隙間を通ってチューブＢの流路内に浸入する虞はない。
【００３２】
また、チューブＢを管継手Ａから外す際には、指で操作面３１を前方から押し操作し、操作部材２７を後方へ変位させる。すると、操作部材２７の後端部が食い込み片２６を径方向外方へ変位させるので、食い込み片２６が、チューブＢの外周から外れてチューブＢに対する抜止めを解除する。この後は、チューブＢを前方へ引き抜けばよい。
【００３３】
本実施形態の管継手Ａは、継手本体１０が、Ｏリング３５の収容位置の近傍において軸線方向に分離可能であり、且つ合体可能な第１部品１１と第２部品１２とを備えて構成されている。したがって、管継手Ａを洗浄する際には、第１部品１１と第２部品１２を軸線方向に分離すればよい。分離した状態では、Ｏリング３５が、第２部品１２の段差状凹部３３内に残った（収容された）状態となる。この段差状凹部３３は、第２部品１２の前端面に開放されているので、Ｏリング３５は第２部品１２から簡単に外すことができる。外したＯリング３５は、単独で洗浄することができる。第１部品１１と第２部品１２の洗浄は、それらの部品１１，１２の内部に洗浄液を流すか、それらの部品１１，１２を洗浄液の中に浸せばよい。また、Ｏリング３５を外した後は、第２部品１２の内周面のうちＯリング３５によって隠れていた部分が露出した状態となるので、確実に洗浄することができる。
【００３４】
＜実施形態２＞
次に、本発明を具体化した実施形態２を図５及び図６を参照して説明する。本実施形態２は、操作部材３９の大径部４０及び操作面４１を上記実施形態１の操作部材２７とは異なる構成としたものである。その他の構成については上記実施形態１と同じであるため、同じ構成については、同一符号を付し、構造、作用及び効果の説明は省略する。
【００３５】
上記実施形態１では、大径部３０が操作部材２７の前端部に形成されていたのに対し、本実施形態２の操作部材３９では、大径部４０が操作部材３９の前後方向における前端側の領域に亘って形成されている。したがって、小径部２８は、操作部材３９の概ね後半領域に亘って形成されていることになる。また、大径部４０の外周は、後方（操作部材３９を押し操作する際に操作部材３９に押込力を付与する方向）に向かって次第に外径が増大するテーパ状の操作面４１となっている。
【００３６】
チューブＢを管継手Ａから外す際には、指で操作面４１を前方から押し操作し、操作部材３９を後方へ変位させる。すると、操作部材３９の後端部が食い込み片２６を径方向外方へ変位させるので、食い込み片２６が、チューブＢの外周から外れてチューブＢに対する抜止めを解除する。この後は、チューブＢを前方へ引き抜けばよい。操作面４１を押し操作するときに、その手はチューブＢを握った状態となっているので、操作面４１を押し操作する作業と、チューブＢを引き抜く作業を、手を持ち替えることなく、ワンアクションで行うことができる。また、操作面４１は、継手本体１０の軸線に対して傾斜したテーパ状をなしているので、操作面４１の最大外径が小さくても、操作面４１の面積を大きく確保することができる。これにより、小型化と作業性の向上を両立させることが実現されている。
【００３７】
＜他の実施形態＞
本発明は上記記述及び図面によって説明した実施形態に限定されるものではなく、例えば次のような実施形態も本発明の技術的範囲に含まれる。
（１）上記実施形態では、第１部品と第２部品を分離したときにシール部材が第２部品側に残るようにしたが、両部品を分離したときにシール部材が第１部品側に残るようにしてもよい。
（２）上記実施形態では、第１部品と第２部品を合体させた状態で、シール部材が、シール溝の前後両内面の間で継手本体の軸線方向に挟まれて弾性変形するようにしたが、両部品を合体させた状態で、シール部材がシール溝の前後両内面の間で挟まれないようにしてもよい。
（３）上記実施形態では、管状部材を合成樹脂製のチューブとしたが、管状部材は、保持片よりも軟質の金属材料からなるパイプであってもよい。
（４）上記実施形態では、楔状の食い込み突起を管状部材の外周に食い込ませることによって管状部材を抜止めしたが、保持片を管状部材に食い込ませず、保持片と管状部材との間の摩擦抵抗によって管状部材を抜止めしてもよい。
（５）上記実施形態では、操作部材と保持片とを別体の部品としたが、保持片を操作部材に一体に形成してもよい。
（６）上記実施例では、第１部品と第２部品を分離した状態で外せる部品がＯリングだけであったが、Ｏリングに限らず、他の部品（ロック用の保持片等）も外せるようにしてもよい。このようにすれば、外した部品も確実に洗浄できるとともに、外した後の部品の内部も確実に洗浄することができる。
【符号の説明】
【００３８】
Ａ…管継手
Ｂ…チューブ（管状部材）
１０…継手本体
１１…第１部品
１２…第２部品
２４…保持片
２７…操作部材
３１…操作面
３４…シール面
３５…Ｏリング（シール部材）
３６…シール溝
３９…操作部材
４１…操作面
【図１】
0005570862.tif 000002
【図２】
0005570862.tif 000003
【図３】
0005570862.tif 000004
【図４】
0005570862.tif 000005
【図５】
0005570862.tif 000006
【図６】
0005570862.tif 000007